(57)【要約】      （修正有）【課題】ゲーム的な有酸素運動を行ないながら脳活動を行うことができ、楽しみながら認知症の改善・回復や進行の遅延を図ることができる円盤回し機器を提供する。【解決手段】円盤回し機器１００は、基底支持部と、回転支持部と、回転円盤１３０を有している。回転円盤１３０は、水平面に対して傾斜した状態で回転できる。回転円盤１３０の上面１３０ａにはボールＢが載置される。回転ノブ部１６０の把持部１６３や回転ノブ部１７０の把持部を手Ｈで把持して、回転円盤１３０を回転することができる。ボールＢが特定の球保持部材１５０に保持されるように、回転円盤１３０を回転していくことにより、有酸素運動と脳活動を行うことができる。【選択図】図４
0003235142.tif 000002
【実用新案登録請求の範囲】
【請求項１】
載置面に載置された際に前記載置面に対して傾斜する支持面を備えた基底支持部と、
前記支持面に配置された回転支持部と、
前記回転支持部により回転自在に支持されて、前記支持面に対して平行な状態で配置されている回転円盤と、
前記回転円盤の上面の外周縁に沿って配置されており、前記回転円盤の上面よりも上方に立ち上がる高さを有している堤状部材と、
前記回転円盤の上面のうち前記堤状部材よりも内周側において周方向に離間して配置されており、前記回転円盤の回転中心に向かって開口する開口端を有すると共に球状体を保持できる形状となっている複数の球保持部材と、
前記回転円盤の上面に取り付けられており、前記回転円盤に対して回転自在な把持部を有している回転ノブ部と、
を備えていることを特徴とする円盤回し機器。
【請求項２】
前記基底支持部は、
上面が前記支持面となっている基底板と、
前記基底板の底面の一方側に配置された小支持部材と、
前記基底板の底面の他方側に配置されており、前記小支持部材よりも高さの高い大支持部材と、
で構成されていることを特徴とする請求項１の円盤回し機器。
【請求項３】
前記載置面に対する、前記基底支持部の支持面及び前記回転円盤の傾斜角度は、３度から１０度の間の任意の角度であることを特徴とする請求項１または請求項２の円盤回し機器。
【請求項４】
複数の前記球保持部材には、値の異なる数値が表記されていることを特徴とする請求項１乃至請求項３のいずれか１項の円盤回し機器。
【請求項５】
前記球保持部材に保持される大きさの球状体を更に備えていることを特徴とする請求項１乃至請求項４のいずれか１項の円盤回し機器。
【考案の詳細な説明】
【技術分野】
【０００１】  本考案は、円盤回し機器に関し、この機器を用いてゲーム的な簡単な有酸素運動を行いながら脳活動を行うことにより、楽しみながら認知症の改善・回復や進行の遅延を図ることができるように工夫したものである。
【背景技術】
【０００２】  認知症とは、大脳の神経組織が損傷することにより知的能力が失われる病気である。認知症を発症すると、身体機能の低下や、五感の感覚機能や脳の伝達機能が低下する。認知症の原因となる疾患はさまざまであり、７０種類ほどあるといわれている。その主原因としては、アルツハイマー病、レビー小体病、前頭側頭葉変性病、脳血管障害などがある。認知症の中で最も多いのは、アルツハイマー型認知症であり、全体の約６０％を占めている。認知症の症状には、脳の障害に直接関係して起こる中核症状と、心理的なストレスなどから起こる行動・心理症状（ＢＰＳＤ：Ｂｅｈａｖｉｏｒａｌ  ａｎｄ  Ｐｓｙｃｈｏｌｏｇｉｃａｌ  Ｓｙｍｐｔｏｍ  ｏｆ  Ｄｅｍｅｎｔｉａ）がある。中核症状には記憶障害や見当識障害などがあり、行動・心理症状には徘徊や暴力や妄想などがある。【０００３】  近年では、認知症の改善・回復や進行の遅延を図るために、有酸素運動を行ないながら脳活動をするマルチタスクのリハビリテーション運動が有効であることが、医学的に解明されている。有酸素運動をすると、血液循環が向上して多くの酸素が体内に取り込まれ、脳にも多くの血液が送られ、十分な酸素や栄養が脳に運ばれる。このような良好な脳状態において脳活動をすると、脳の前頭葉、後頭葉、側頭葉及び頭頂葉が活発に動いて鍛えられ、認知症の改善・回復や進行の遅延を図ることができる。【０００４】  上記のような医学的知見を基に、高齢者施設やリハビリテーション施設においては、認知症の人に、有酸素運動を行ないながら脳活動をするというマルチタスクのリハビリテーション運動をさせることが多くなってきた。認知症の改善等を目的としたマルチタスクのリハビリテーション運動としては、例えば、次のようなものがある。【０００５】（１）  歩きながら、引き算をする。例えば、歩きながら、１００から順に７を引き続け、１００，９３、８６、７９、７２・・・という具合に、引き算値を求め、求めた引き算値を発声する。
（２）  椅子に座った状態で、腕振り運動と足踏み運動をしながら、１、２、３、４、５、６、７・・・と順番に数を数えて声を出していき、３の倍数を発声したときに、手を叩く。慣れてきたら、５の倍数や、７の倍数のところで、手を叩くように変化させてもよい。
（３）  椅子に座った状態で、足踏みをしながら童謡や民謡などを歌い、歌詞が例えば「さ」になったところで、手を叩く。慣れてきたら、歌詞が他の音になったところで、手を叩くように変化させてもよい。
【先行技術文献】
【特許文献】
【０００６】
【特許文献１】特許第６０９９０８８号公報
【考案の概要】
【考案が解決しようとする課題】
【０００７】  ところで、上述したような従来のリハビリテーション運動では、楽しみやモチベーションが少なく、リハビリテーション運動をしている認知症の人が、リハビリテーション運動をすることに飽きたり嫌がったりして、最終的にはリハビリテーション運動に参加しなくなることがあった。【０００８】  また上述したような従来のリハビリテーション運動では、基本的には、歩いたり足踏みしたりできる程度の足腰の運動機能を有している人が対象であるため、足腰の運動機能が低下したり喪失している人は、上述したような従来のリハビリテーション運動をすることができなかった。【０００９】  本考案は、上記従来技術の問題に鑑み、足腰が丈夫な人のみならず足腰の運動機能が低下したり喪失している認知症の人でも、有酸素運動を行ないながら脳活動をするリハビリテーション運動を楽しく実施することができ、これにより認知症の改善・回復や進行の遅延を効果的に図ることができる円盤回し機器を提供するものである。
【課題を解決するための手段】
【００１０】  上記課題を解決する本考案の円盤回し機器は、載置面に載置された際に載置面に対して傾斜する支持面を備えた基底支持部と、支持面に配置された回転支持部と、回転支持部により回転自在に支持されて、支持面に対して平行な状態で配置されている回転円盤と、回転円盤の上面の外周縁に沿って配置されており、回転円盤の上面よりも上方に立ち上がる高さを有している堤状部材と、回転円盤の上面のうち堤状部材よりも内周側において周方向に離間して配置されており、回転円盤の回転中心に向かって開口する開口端を有すると共に球状体を保持できる形状となっている複数の球保持部材と、回転円盤の上面に取り付けられており、回転円盤に対して回転自在な把持部を有している回転ノブ部と、を備えていることを特徴とする。【００１１】  また本考案の円盤回し機器において、基底支持部は、上面が支持面となっている基底板と、基底板の底面の一方側に配置された小支持部材と、基底板の底面の他方側に配置されており、小支持部材よりも高さの高い大支持部材と、で構成されていることを特徴とする。
また本考案の円盤回し機器において、載置面に対する、基底支持部の支持面及び回転円盤の傾斜角度は、３度から１０度の間の任意の角度であることを特徴とする。
また本考案の円盤回し機器において、複数の球保持部材には、値の異なる数値が表記されていることを特徴とする。
また本考案の円盤回し機器において、球保持部材に保持される大きさの球状体を更に備えていることを特徴とする。
【考案の効果】
【００１２】  本考案によれば、円盤回し機器を用いてゲーム的な簡単な有酸素運動を行いながら脳活動を行うことができ、これにより、楽しみながら認知症の改善・回復や進行の遅延を図ることができる。しかも、足腰の運動機能が低下したり喪失している人であっても、本考案の円盤回し機器を用いてリハビリテーション運動を行うことができる。
【図面の簡単な説明】
【００１３】
【図１】本考案の実施形態に係る円盤回し機器を示す平面図である。
【図２】本考案の実施形態に係る円盤回し機器を示す側面図である。
【図３】本考案の実施形態に係る円盤回し機器の基底支持部を示す底面図である。
【図４】本考案の実施形態に係る円盤回し機器の使用状態を示す平面図である。
【考案を実施するための形態】
【００１４】  以下、本考案の実施形態に係る、円盤回し機器を、図面を参照して詳細に説明する。
【００１５】  図１及び図２に示すように、本実施形態に係る円盤回し機器１００は、基底支持部１１０と、回転支持部１２０と、回転円盤１３０を有している。回転円盤１３０は、基底支持部１１０の基底板１１１の上面（支持面）１１１ａに配置された回転支持部１２０により、回転自在に支持されている。また、回転円盤１３０は、基底板１１１の上面（支持面）１１１ａに対して平行な状態で配置されている。このため、回転円盤１３０は、基底支持部１１０（基底板１１１）に対して、回転軸心Ｊ１を回転中心として回転することができる。
【００１６】  基底支持部１１０は、底面図である図３に示すように、基底板１１１と、基底板１１１の底面１１１ｂに取り付けられた２つの小支持部材１１２と、基底板１１１の底面１１１ｂに取り付けられた大支持部材１１３により構成されている。基底板１１１は、本実施形態では８角形の板部材である。小支持部材１１２は、円錐台状の部材である。大支持部材１１３は、棒部材１１３ａと、棒部材１１３ａの外周面に備えられたゴム部材１１３ｂにより構成されている。小支持部材１１２は基底板１１１の一方の辺側に配置されており、大支持部材１１３は基底板１１１の他方の辺側に配置されている。しかも、基底板１１１の底面１１１ｂを基準とした高さは、小支持部材１１２よりも大支持部材１１３の方が高い。このため、図２に示すように、小支持部材１１２及び大支持部材１１３を下方にした状態で、基底支持部１１０を、テーブルなどの水平面（載置面）Ｓの上に載置すると、基底板１１１の上面（支持面）１１１ａは水平面（載置面）Ｓに対して傾斜する。このとき、基底板１１１に対して平行な回転円盤１３０も、水平面（載置面）Ｓに対して傾斜する。
【００１７】  本実施形態では、水平面（載置面）Ｓに対する、基底板１１１の上面（支持面）１１１ａ及び回転円盤１３０の傾斜角度θは、５度であるが、この傾斜角度θは、３度から１０度の間の任意の角度に設定することができる。
【００１８】  回転支持部１２０は、基底板１１１の上面（支持面）１１１ａに固定・配置されている。回転支持部１２０は、回転軸受などを内蔵しており、回転円盤１３０を回転自在に支持している。これにより、前述したように、回転円盤１３０は、基底支持部１１０（基底板１１１）に対して、回転軸心Ｊ１を回転中心として回転することができる。
【００１９】  上述したような構成になっているため、小支持部材１１２及び大支持部材１１３を下方にした状態で、基底支持部１１０をテーブルなどの水平面（載置面）Ｓの上に載置した際には、回転円盤１３０は水平面（載置面）Ｓに対して、傾斜角度θだけ傾斜した状態で、回転軸心Ｊ１を回転中心として回転することができる。
【００２０】  なお、基底支持部１１０としては上述した構成のものに限らず、水平面（載置面）Ｓに載置された際に、水平面（載置面）Ｓに対して傾斜する上面（支持面）を備えているブロック体のようなものであってもよい。
【００２１】  回転円盤１３０の上面１３０ａには、その外周縁に沿って、長尺な堤状部材１４０が配置されている。堤状部材１４０は、例えば、ゴムやプラスチックにより形成されており、回転円盤１３０の上面１３０ａに固定されて、回転円盤１３０の上面１３０ａよりも上方に立ち上がる高さを有している。このため、後述するように、ボールなどの球状体を回転円盤１３０の上面１３０ａに置いたときに、この球状体が回転円盤１３０の上面１３０ａにおいて転がり動いても、球状体が堤状部材１４０を乗り越えて外に転がり出ることはない。
【００２２】  回転円盤１３０の上面１３０ａのうち、堤状部材１４０よりも内周側には、周方向に離間して、本実施形態では６個の球保持部材１５０が配置されている。球保持部材１５０は、ねじ１５１などにより回転円盤１３０に固定されている。球保持部材１５０は、例えばプラスチックなどにより略Ｕ字状に形成されており、回転円盤１３０の上面１３０ａよりも上方に立ち上がる高さを有している。各球保持部材１５０は、その略Ｕ字状の先端である開口端ＯＰが、回転円盤１３０の回転中心を向く状態で配置されている。このため、後述するように、球状体が、球保持部材１５０の開口端ＯＰから、球保持部材１５０の奥（Ｕ状の底部）にまで入り込むことにより、球保持部材１５０により球状体を保持することができる。
【００２３】  各球保持部材１５０には、異なる数値（例えば、１、２、３、４，５、６）が記載された数値プレート１５２−１〜１５２−６が貼付されている。なお、各球保持部材１５０に、異なる数値（例えば、１、２、３、４，５、６）を直接記載するなどして、異なる数値を表記するようにしてもよい。
【００２４】  なお、球保持部材１５０の形状は、Ｕ字状に限らずＶ字状や半円弧状などであってもよく、更にはトンネルのような筒形状であってもよい。要は、球保持部材１５０の形状としては、回転円盤１３０の回転中心に向かって開口する開口端ＯＰを有すると共に、開口端ＯＰから入って回転円盤１３０の径方向外側に移動してきたボールなどの球状体を保持できる形状であれば、その形状はどのようなものであってもよい。
【００２５】  回転円盤１３０の上面１３０ａには、その周縁部に、第１の回転ノブ部１６０と第２の回転ノブ部１７０が取り付けられている。第１の回転ノブ部１６０と第２の回転ノブ部１７０は、周方向に１８０度ずれた位置に配置されている。
【００２６】  第１の回転ノブ部１６０は、板状の取付板１６１と、取付板１６１に固定された山型部材１６２と、山型部材１６２に回転自在に取り付けられた把持部１６３により構成されている。取付板１６１をねじ１６４により回転円盤１３０にねじ止めすることにより、回転ノブ部１６０が回転円盤１３０に取り付けられている。なお、図１及び図２に示すように、把持部１６３が径方向外側に向く状態で、回転ノブ部１６０を回転円盤１３０に取り付けることができる。また、把持部１６３が径方向内側に向く状態で、回転ノブ部１６０を回転円盤１３０に取り付けることもできる。
【００２７】  把持部１６３は、ドアノブと同様に、人間の手で把持される部分は楕円球形状になっており、先端部（山型部材１６２側）は円柱軸形状になっている。把持部１６３は、山型部材１６２に対して回転軸心Ｊ２を回転中心として回転自在で且つ回転円盤１３０の上面１３０ａに対して傾斜した状態で取り付けられている。このように、把持部１６３は、山型部材１６２ひいては回転円盤１３０に対して回転自在に取り付けられている。
【００２８】  第２の回転ノブ部１７０は、軸部材１７１を、回転軸心Ｊ３を回転中心として回転自在な状態で、回転円盤１３０に取り付けて構成されている。更に詳述すると、軸部材１７１は、人間の手で把持できる程度の径となっている把持部１７１ａと、把持部１７１ａよりも小径の挿入部１７１ｂを有している。挿入部１７１ｂが、回転円盤１３０の周縁近くに形成された孔１３１に挿入されることにより、回転ノブ部１７０が回転円盤１３０に取り付けられている。このように、軸部材１７１の把持部１７１ａは、回転円盤１３０に対して回転自在に取り付けられている。
【００２９】  なお、回転ノブ部としては、回転ノブ部１６０，１７０のような構成のものに限らず、回転円盤１３０の上面１３０ａに取り付けられて、回転円盤１３０に対して回転自在な把持部を有しているものであれば、他の構成のものでもよい。
【００３０】  また図示は省略したが、回転円盤１３０の回転数を検出する回転数センサと、この回転数センサにより検出した回転数を表示する表示器を備えてもよい。この場合、回転円盤１３０が１回転するごとに表示器に表示される回転数が１つ増加する。つまり、回転円盤１３０を右回りに回転しても左回りに回転しても、１回転するごとに表示器に表示される回転数が１つ増加する。このように表示器に回転数が表示されるので、回転円盤１３０を回転させた回転数を視認することができ、回転円盤１３０を回転することによる有酸素運動の量を知ることができる。
【００３１】  次に、上記構成となっている円盤回し機器１００を用いて運動をする状態を、図４を参照して説明する。運動をするには、基底支持部１１０の小支持部材１１２及び大支持部材１１３を下方にした状態で、円盤回し機器１００を、テーブルなどの水平面（載置面）Ｓに載置する。そうすると、回転円盤１３０の上面１３０ａは水平面（載置面）Ｓに対して傾斜した状態になる（図２参照）。更に、回転円盤１３０の上面１３０ａの上に、球状体であるボールＢを配置する。ボールＢは、球保持部材１５０により保持可能な大きさになっている。
【００３２】  認知症を煩っている人など（以下「運動者」と称する）が、例えば第２の回転ノブ部１７０の把持部１７１ａを手Ｈで把持しつつ回転円盤１３０を回転軸心Ｊ１周りで回転させる。回転円盤１３０が一周する間に、手で把持された回転ノブ部１７０は、回転円盤１３０に対して、回転軸心Ｊ３周りで相対的に回転する。このような運動をすると、運動者の腕や手Ｈが回転円盤１３０の周縁に沿い大きく回り動き、石臼を挽くような状態で腕の回転運動（石臼運動）ができ、上肢や肩甲骨周りの筋肉、更には腹筋や背筋など、上肢や上半身の筋肉がスムーズに活動して良好な有酸素運動を行うことができる。
【００３３】  また、運動者が、例えば第１の回転ノブ部１６０の把持部１６３を手Ｈで把持しつつ回転円盤１３０を回転軸心Ｊ１周りで回転させる。回転円盤１３０が一周する間に、手で把持された把持部１６３は、回転円盤１３０に対して、回転軸心Ｊ２周りで相対的に回転する。このような運動をすると、運動者の腕や手Ｈが回転円盤１３０の周縁に沿い大きく回り動き、石臼を挽くような状態で腕の回転運動（石臼運動）ができ、上肢や肩甲骨周りの筋肉、更には腹筋や背筋など、上肢や上半身の筋肉がスムーズに活動して良好な有酸素運動を行うことができる。更に、把持部１６３は、回転円盤１３０の上面１３０ａに対して傾斜しているので、回転円盤１３０が一周する間に、把持部１６３を把持している手Ｈの手首の角度が変化していき、手首の屈曲運動や捻転運動も同時に行うことができる。このような手首の屈曲運動や捻転運動は、脳に対して好適な刺激になる。
【００３４】  このように、第１の回転ノブ部１６０の把持部１６３や第２の回転ノブ部１７０の把持部１７１ａを、手Ｈで把持して回転円盤１３０を回転させると、傾斜しつつ回転する回転円盤１３０の上面１３０ａにおいて、ボールＢが転がり動く。図４では、ボールＢを実線や２点鎖線で描くことにより、ボールＢが上面１３０ａの各所に転がり動いて移動している状態を示している。
【００３５】  転がり動くボールＢが、球保持部材１５０の開口端ＯＰから球保持部材１５０の奥（Ｕ状の底部）に入りこむと、球保持部材１５０によりボールＢを保持することができる。このようにボールＢを保持できる球保持部材１５０は、回転円盤１３０の上面１３０ａにおいて傾斜の下側に位置したものである。このように、傾斜の下側に位置した球保持部材１５０によりボールＢを保持した後に、回転円盤１３０を回転していき、ボールＢを保持した球保持部材１５０が傾斜の上側に移動すると、ボールＢは当該球保持部材１５０の奥から開口端ＯＰを通って当該球保持部材１５０の外に転がり出て行く。
【００３６】  このように、回転円盤１３０を回転軸心Ｊ１周りで回転させていくと、ボールＢが、回転円盤１３０の上面１３０ａにおいて転がり動き、また、複数の球保持部材１５０のいずれかでボールＢを保持することができるので、いろいろなゲームをすることができる。
【００３７】  例えば、サイコロを転がしてサイコロで数値を決める。そして、数値プレート１５２−１〜１５２−６のうち、サイコロの数値と同じ数値が記載された数値プレート１５２が貼付された球保持部材１５０に、ボールＢが保持されるように、運動者が回転円盤１３０を回転していく。つまり、運動者は、サイコロの数値を記憶した状態で、把持部１６３または把持部１７１ａを把持して、回転円盤１３０を右回りや左回りに回転させていって、サイコロの数値と同じ数値が記載された数値プレート１５２が貼付された特定の球保持部材１５０に、ボールＢが入るようにする。これにより良好な有酸素運動をすることができる。
【００３８】  このようにサイコロの数値を記憶したり、特定の球保持部材１５０にボールＢが入るように回転円盤１３０の回転方向や回転速度や回転角度を調整したりするため、運動者の脳が活発に活動する。しかも、ゲーム的な要素が強いので楽しみながら、夢中になって有酸素運動をすることができる。なお、運動者がサイコロで決めた数値を忘れることがあるので、サイコロの数値が決まったら、サイコロを動かさずに静置しておくことが望ましい。このようにしておけば、運動の途中でサイコロの数値を忘れた運動者は、サイコロに目を向けて数値を再確認することができる。サイコロの数値を再確認することによっても、良好な脳活動になる。
【００３９】  特定の球保持部材１５０にボールＢが入ったら、再びサイコロを転がして次の数値を決める。次の数値が決まったら、再び、上述したのと同様にして、特定の球保持部材１５０にボールＢが入るように回転円盤１３０を回転させて有酸素運動をしていく。
【００４０】  また別のゲームとしては、異なる数値（１、２、３、４，５、６）が記載された数値プレート１５２−１〜１５２−６が貼付されている各球保持部材１５０のうち、数値の小さい数値プレートが貼付された球保持部材１５０から順にボールＢを次々と保持させていく方法もある。
【００４１】  このように回転円盤１３０を回すことにより、良好な有酸素運動をしつつ、ゲーム的な要素により脳刺激ができるので、認知症の運動者が円盤回し機器１００を用いて運動することにより、楽しみながら認知症の改善・回復や進行の遅延を図ることができる。
【００４２】  しかも、足腰の運動機能が低下したり喪失している認知症の人であっても、本考案の円盤回し機器１００を用いてリハビリテーション運動を行うことができる。また、認知症ではない高齢者などが、身体運動と脳の活性を目的として、本考案の円盤回し機器１００を使用することもできる。
【符号の説明】
【００４３】１００  円盤回し機器
１１０  基底支持部
１１１  基底板
１１１ａ  上面（支持面）
１１１ｂ  底面
１１２  小支持部材
１１３  大支持部材
１１３ａ  棒部材
１１３ｂ  ゴム部材
１２０  回転支持部
１３０  回転円盤
１３０ａ  上面
１３１  孔
１４０  堤状部材
１５０  球保持部材
１５１  ねじ
１５２−１〜１５２−６  数値プレート
１６０  第１の回転ノブ部
１６１  取付板
１６２  山型部材
１６３  把持部
１６４  ねじ
１７０  第２の回転ノブ部
１７１  軸部材
１７１ａ  把持部
１７１ｂ  挿入部
ＯＰ  開口端
Ｂ  ボール
Ｈ  手
Ｓ  水平面（載置面）
【図１】
0003235142.tif 000003
【図２】
0003235142.tif 000004
【図３】
0003235142.tif 000005
【図４】
0003235142.tif 000006